(57)【要約】【課題】瞬時の送信電力制御を行わない場合であっても、従来に比して受信品質を改善することができるようにする。【解決手段】移動局ＭＳ＃０は、周辺基地局からの受信電力を測定し、所望する下りリンク受信品質を満足するためには、どの基地局と接続すればよいかを判断する（Ｓ１）。移動局ＭＳ＃０は、接続希望基地局を無線網制御局ＲＮＣに通知する（Ｓ２）。移動局ＭＳ＃０からその通知を受けた無線網制御局ＲＮＣは、移動局ＭＳ＃０宛ての下りリンク送信信号がある場合には、それを複製し、該当する基地局に送信する（Ｓ３）。該当する基地局として、３つの基地局ＢＳ＃０，＃１，＃３を例示している。移動局ＭＳ＃０は、各基地局から送信された信号を受信し（Ｓ４）、これらの信号を合成受信する（Ｓ５）ことで、所望の下りリンク受信品質を満足する。【選択図】図２
2006191669.tif 000002
【特許請求の範囲】
【請求項１】
複数の基地局と、一つの移動局と少なくとも２以上の基地局との間の通信を同時に行わせる網制御局とを備え、前記移動局が同時に接続する基地局数を増減することによって下りリンク受信品質の制御を行う移動体通信システムであって、
前記移動局は、前記同時に接続する基地局数を増減するにあたって、前記複数の基地局のうち周辺基地局からの受信電力を測定し、所望する下りリンク受信品質を満足するためにどの基地局と接続すればよいかを判定し、
前記移動局は、前記判定に基づいて、接続希望基地局情報を前記網制御局に通知し、
前記網制御局は、前記移動局から前記通知を受けた後、前記接続希望基地局情報を複製して該当する基地局に送信し、
前記移動局は、前記該当する基地局から送信された信号を受信し、前記該当する基地局から送信された各信号を合成受信することによって前記下りリンク受信品質の制御を行う、
ことを特徴とする移動体通信システム。
【請求項２】
複数の基地局と、一つの移動局と少なくとも２以上の基地局との間の通信を同時に行わせる網制御局とを備え、前記移動局が同時に接続する基地局数を増減することによって下りリンク受信品質の制御を行う移動体通信システムであって、
前記移動局は、ＱｏＳエージェントに対して自局が所望する下りリンク受信品質および自局の位置を通知し、
前記ＱｏＳエージェントは、前記移動局が同時に接続する基地局数を増減するにあたって、前記移動局から通知された下りリンク受信品質を満足するためには、どの基地局と接続しなければならないかを判定し、
前記ＱｏＳエージェントは、前記判定に基づき、前記網制御局に対して接続希望基地局情報を送信することにより、前記移動局に対する信号の複製送信を要求し、
前記網制御局は、下りリンク送信信号を複製して該当する基地局に送信し、
前記移動局は、前記該当する基地局から送信された各信号を合成受信することによって前記下りリンク受信品質の制御を行う、
ことを特徴とする移動体通信システム。
【請求項３】
複数の基地局と、一つの移動局と少なくとも２以上の基地局との間の通信を同時に行わせる網制御局とを備え、前記移動局が同時に接続する基地局数を増減することによって上りリンク受信品質の制御を行う移動体通信システムであって、
前記移動局は、上りリンク所望品質，自局の位置および送信可能最大電力をＱｏＳエージェントに通知し、
前記ＱｏＳエージェントは、前記移動局が同時に接続する基地局数を増減するにあたって、前記通知に基づいて、前記移動局の送信可能最大電力内で前記上りリンク所望品質を満足するために接続すべき基地局を選択すると共に、前記移動局に対して送信電力の指定を行い、
前記ＱｏＳエージェントは、合成すべき基地局情報を含んだ信号フォーマットを前記網制御局に送信することにより、前記網制御局に対して前記移動局からの信号の合成の要求を行い、且つ、該当する基地局に対して前記移動局からの信号受信要求を行い、
前記移動局は、前記指定された送信電力で信号の送信を行うことにより、前記該当する基地局でそれぞれ受信された信号を前記網制御局が合成することによって前記上りリンク受信品質の制御を行う、
ことを特徴とする移動体通信システム。
【請求項４】
隣接している第１のセルおよび第２のセルをそれぞれ形成する第１の基地局および第２の基地局と、前記第１のセルに在圏している一つの移動局と前記第１および第２の基地局との間の通信を同時に行わせる網制御局とを備え、前記移動局が同時に接続する基地局数を増減することによって下りリンク受信品質の制御を行う移動体通信システムであって、
前記第１の基地局と前記移動局が通信しているとき、ＱｏＳエージェントは前記第２のセルのトラヒック量を測定し、
前記第２のセルのトラヒック量が少なく前記第１のセル内にある移動局に対する信号送信は可能である、と前記ＱｏＳエージェントが判断した場合には、前記同時に接続する基地局数を増減するにあたって、前記ＱｏＳエージェントは前記網制御局に対して、前記第２の基地局への情報の複製を要求し、
前記移動局は、前記第１の基地局および前記第２の基地局の両局から送信された信号を受信して合成することによって前記下りリンク受信品質の制御を行う、
ことを特徴とする移動体通信システム。
【請求項５】
複数の基地局と、一つの移動局と少なくとも２以上の基地局との間の通信を同時に行わせる網制御局とを備え、前記基地局が同時に接続する基地局数を増減することによって下りリンク受信品質の制御を行う移動体通信システムの受信品質制御方法であって、
前記移動局は、前記同時に接続する基地局数を増減するにあたって、周辺基地局からの受信電力を測定し、所望する下りリンク受信品質を満足するためにどの基地局と接続すればよいかを判定するステップと、
前記移動局は、前記判定に基づいて、接続希望基地局情報を既定の信号フォーマットを用いて前記網制御局に通知するステップと、
前記網制御局は、前記移動局から前記通知を受けた後、前記接続希望基地局情報を複製して該当する基地局に送信するステップと、
前記移動局は、前記該当する基地局から送信された信号を受信し、前記該当する基地局から送信された各信号を合成受信することによって前記下りリンク受信品質の制御を行うステップと、
を具備したことを特徴とする受信品質制御方法。
【請求項６】
複数の基地局と、一つの移動局と少なくとも２以上の基地局との間の通信を同時に行わせる網制御局とを備え、前記移動局が同時に接続する基地局数を増減することによって下りリンク受信品質の制御を行う移動体通信システムの受信品質制御方法であって、
前記移動局は、ＱｏＳエージェントに対して自局が所望する下りリンク受信品質および自局の位置を既定の信号フォーマットを用いて通知するステップと、
前記ＱｏＳエージェントは、前記移動局が同時に接続する基地局数を増減するにあたって、前記移動局から通知された下りリンク受信品質を満足するためには、どの基地局と接続しなければならないかを判定するステップと、
前記ＱｏＳエージェントは、前記判定に基づき、前記網制御局に対して接続希望基地局情報を送信することにより、前記移動局に対する信号の複製送信を要求するステップと、
前記網制御局は、下りリンク送信信号を複製して該当する基地局に送信するステップと、
前記移動局は、前記該当する基地局から送信された各信号を合成受信することによって前記下りリンク受信品質の制御を行うステップと、
を具備したことを特徴とする受信品質制御方法。
【請求項７】
複数の基地局と、一つの移動局と少なくとも２以上の基地局との間の通信を同時に行わせる網制御局とを備え、前記移動局が同時に接続する基地局数を増減することによって上りリンク受信品質の制御を行う移動体通信システムの受信品質制御方法であって、
前記移動局は、上りリンク所望品質，自局の位置および送信可能最大電力をＱｏＳエージェントに通知するステップと、
前記ＱｏＳエージェントは、前記移動局が同時に接続する基地局数を増減するにあたって、前記通知に基づいて、前記移動局の送信可能最大電力内で前記上りリンク所望品質を満足するために接続すべき基地局を選択すると共に、前記移動局に対して送信電力の指定を行うステップと、
前記ＱｏＳエージェントは、合成すべき基地局情報を含んだ信号フォーマットを前記網制御局に送信することにより、前記網制御局に対して前記移動局からの信号の合成の要求を行い、且つ、該当する基地局に対して前記移動局からの信号受信要求を行うステップと、
前記移動局は、前記指定された送信電力で信号の送信を行うことにより、前記該当する基地局でそれぞれ受信された信号を前記網制御局が合成することによって前記上りリンク受信品質の制御を行うステップと、
を具備したことを特徴とする受信品質制御方法。
【請求項８】
隣接している第１のセルおよび第２のセルをそれぞれ形成する第１の基地局および第２の基地局と、前記第１のセルに在圏している一つの移動局と前記第１および第２の基地局との間の通信を同時に行わせる網制御局とを備え、前記移動局が同時に接続する基地局数を増減することによって下りリンク受信品質の制御を行う移動体通信システムの受信品質制御方法であって、
前記第１の基地局と前記移動局が通信しているとき、ＱｏＳエージェントは前記第２のセルのトラヒック量を測定するステップと、
前記第２のセルのトラヒック量が少なく前記第１のセル内にある移動局に対する信号送信は可能である、と前記ＱｏＳエージェントが判断した場合には、前記同時に接続する基地局数を増減するにあたって、前記ＱｏＳエージェントは前記網制御局に対して、前記第２の基地局への情報の複製を要求するステップと、
前記移動局は、前記第１の基地局および前記第２の基地局の両局から送信された信号を受信して合成することによって前記下りリンク受信品質の制御を行うステップと、
を具備したことを特徴とする受信品質制御方法。
【発明の詳細な説明】
【技術分野】
【０００１】
本発明は、移動体通信システム、移動体通信システムにおける受信品質制御方法、および、記録媒体に関するものである。
【０００２】
さらに詳述すると本発明は、基地局から無線チャネルを介して移動局に対して通信サービスを提供する移動体通信システム、移動体通信システムにおける受信品質制御方法、および、上記通信サービスを提供させるための記録媒体に関するものである。
【背景技術】
【０００３】
従来から知られている移動体通信システムにおける受信品質制御では主に送信電力制御を行い、受信信号レベルの瞬時変動を補償することで所望する受信品質を実現している。
【０００４】
図１は、従来の送信電力制御を用いた受信品質制御における問題点を説明したものである。いま、図１（Ａ）に示すように、受信レベルが広いレンジで変動する場合を想定するとき、細かいステップサイズで送信電力制御を行う場合（図１（Ｂ）参照）には急激な受信レベル変動に追従することができないという問題が生じる。
【０００５】
他方、図１（Ｃ）に示すように、粗いステップサイズで送信電力制御を行う場合には、受信レベル変動に対して高精度な追従ができないという問題が生じる。
【発明の開示】
【発明が解決しようとする課題】
【０００６】
図１を参照して述べたような従来の問題を解決するためには、細かいステップサイズの送信電力制御を、非常に短い制御周期で行う必要があるが、この場合には、送信電力制御信号のオーバヘッドにより伝送効率が低下してしまうという新たな問題を招来することになる。
【０００７】
特に、移動体通信システムにおける受信信号レベルは非常にダイナミックに変動することが知られており、このような受信信号を補償するためには、ダイナミックレンジの広い送信電力制御が必要となり、高効率な電力増幅器を適用しにくいという問題もある。
【０００８】
よって本発明の目的は、上述の点に鑑み、瞬時の送信電力制御を行わない場合であっても、従来に比して受信品質を改善することができるようにした移動体通信システム、移動体通信システムにおける受信品質制御方法、および、受信品質改善を実行させるためのプログラムを記録した記録媒体を提供することにある。
【課題を解決するための手段】
【０００９】
上記の目的を達成するために、本発明では、複数の受信信号が合成されると受信信号のレベル変動が小さくなるという特徴を利用し、移動局に同時に接続する基地局数を増減することで、瞬時の送信電力制御を行わない場合でもある程度の受信品質制御を実現できるようにしたものである。
【００１０】
すなわち、上記の目的を達成するために、請求項１に係る本発明は、複数の基地局と、一つの移動局と少なくとも２以上の基地局との間の通信を同時に行わせる網制御局とを備え、前記移動局が同時に接続する基地局数を増減することによって下りリンク受信品質の制御を行う移動体通信システムであって、前記移動局は、前記同時に接続する基地局数を増減するにあたって、前記複数の基地局のうち周辺基地局からの受信電力を測定し、所望する下りリンク受信品質を満足するためにどの基地局と接続すればよいかを判定し、前記移動局は、前記判定に基づいて、接続希望基地局情報を前記網制御局に通知し、前記網制御局は、前記移動局から前記通知を受けた後、前記接続希望基地局情報を複製して該当する基地局に送信し、前記移動局は、前記該当する基地局から送信された信号を受信し、前記該当する基地局から送信された各信号を合成受信することによって前記下りリンク受信品質の制御を行う、ことを特徴とする。
【００１１】
請求項２に係る発明は、複数の基地局と、一つの移動局と少なくとも２以上の基地局との間の通信を同時に行わせる網制御局とを備え、前記移動局が同時に接続する基地局数を増減することによって下りリンク受信品質の制御を行う移動体通信システムであって、前記移動局は、ＱｏＳエージェントに対して自局が所望する下りリンク受信品質および自局の位置を通知し、前記ＱｏＳエージェントは、前記移動局が同時に接続する基地局数を増減するにあたって、前記移動局から通知された下りリンク受信品質を満足するためには、どの基地局と接続しなければならないかを判定し、前記ＱｏＳエージェントは、前記判定に基づき、前記網制御局に対して接続希望基地局情報を送信することにより、前記移動局に対する信号の複製送信を要求し、前記網制御局は、下りリンク送信信号を複製して該当する基地局に送信し、前記移動局は、前記該当する基地局から送信された各信号を合成受信することによって前記下りリンク受信品質の制御を行う、ことを特徴とする。
【００１２】
請求項３に係る発明は、複数の基地局と、一つの移動局と少なくとも２以上の基地局との間の通信を同時に行わせる網制御局とを備え、前記移動局が同時に接続する基地局数を増減することによって上りリンク受信品質の制御を行う移動体通信システムであって、前記移動局は、上りリンク所望品質，自局の位置および送信可能最大電力をＱｏＳエージェントに通知し、前記ＱｏＳエージェントは、前記移動局が同時に接続する基地局数を増減するにあたって、前記通知に基づいて、前記移動局の送信可能最大電力内で前記上りリンク所望品質を満足するために接続すべき基地局を選択すると共に、前記移動局に対して送信電力の指定を行い、前記ＱｏＳエージェントは、合成すべき基地局情報を含んだ信号フォーマットを前記網制御局に送信することにより、前記網制御局に対して前記移動局からの信号の合成の要求を行い、且つ、該当する基地局に対して前記移動局からの信号受信要求を行い、前記移動局は、前記指定された送信電力で信号の送信を行うことにより、前記該当する基地局でそれぞれ受信された信号を前記網制御局が合成することによって前記上りリンク受信品質の制御を行う、ことを特徴とする。
【００１３】
請求項４に係る発明は、隣接している第１のセルおよび第２のセルをそれぞれ形成する第１の基地局および第２の基地局と、前記第１のセルに在圏している一つの移動局と前記第１および第２の基地局との間の通信を同時に行わせる網制御局とを備え、前記移動局が同時に接続する基地局数を増減することによって下りリンク受信品質の制御を行う移動体通信システムであって、前記第１の基地局と前記移動局が通信しているとき、ＱｏＳエージェントは前記第２のセルのトラヒック量を測定し、前記第２のセルのトラヒック量が少なく前記第１のセル内にある移動局に対する信号送信は可能である、と前記ＱｏＳエージェントが判断した場合には、前記同時に接続する基地局数を増減するにあたって、前記ＱｏＳエージェントは前記網制御局に対して、前記第２の基地局への情報の複製を要求し、前記移動局は、前記第１の基地局および前記第２の基地局の両局から送信された信号を受信して合成することによって前記下りリンク受信品質の制御を行う、ことを特徴とする。
【００１４】
請求項５に係る発明は、複数の基地局と、一つの移動局と少なくとも２以上の基地局との間の通信を同時に行わせる網制御局とを備え、前記基地局が同時に接続する基地局数を増減することによって下りリンク受信品質の制御を行う移動体通信システムの受信品質制御方法であって、前記移動局は、前記同時に接続する基地局数を増減するにあたって、周辺基地局からの受信電力を測定し、所望する下りリンク受信品質を満足するためにどの基地局と接続すればよいかを判定するステップと、前記移動局は、前記判定に基づいて、接続希望基地局情報を既定の信号フォーマットを用いて前記網制御局に通知するステップと、前記網制御局は、前記移動局から前記通知を受けた後、前記接続希望基地局情報を複製して該当する基地局に送信するステップと、前記移動局は、前記該当する基地局から送信された信号を受信し、前記該当する基地局から送信された各信号を合成受信することによって前記下りリンク受信品質の制御を行うステップと、を具備したことを特徴とする。
【００１５】
請求項６に係る発明は、複数の基地局と、一つの移動局と少なくとも２以上の基地局との間の通信を同時に行わせる網制御局とを備え、前記移動局が同時に接続する基地局数を増減することによって下りリンク受信品質の制御を行う移動体通信システムの受信品質制御方法であって、前記移動局は、ＱｏＳエージェントに対して自局が所望する下りリンク受信品質および自局の位置を既定の信号フォーマットを用いて通知するステップと、前記ＱｏＳエージェントは、前記移動局が同時に接続する基地局数を増減するにあたって、前記移動局から通知された下りリンク受信品質を満足するためには、どの基地局と接続しなければならないかを判定するステップと、前記ＱｏＳエージェントは、前記判定に基づき、前記網制御局に対して接続希望基地局情報を送信することにより、前記移動局に対する信号の複製送信を要求するステップと、前記網制御局は、下りリンク送信信号を複製して該当する基地局に送信するステップと、前記移動局は、前記該当する基地局から送信された各信号を合成受信することによって前記下りリンク受信品質の制御を行うステップと、を具備したことを特徴とする。
【００１６】
請求項７に係る発明は、複数の基地局と、一つの移動局と少なくとも２以上の基地局との間の通信を同時に行わせる網制御局とを備え、前記移動局が同時に接続する基地局数を増減することによって上りリンク受信品質の制御を行う移動体通信システムの受信品質制御方法であって、前記移動局は、上りリンク所望品質，自局の位置および送信可能最大電力をＱｏＳエージェントに通知するステップと、前記ＱｏＳエージェントは、前記移動局が同時に接続する基地局数を増減するにあたって、前記通知に基づいて、前記移動局の送信可能最大電力内で前記上りリンク所望品質を満足するために接続すべき基地局を選択すると共に、前記移動局に対して送信電力の指定を行うステップと、前記ＱｏＳエージェントは、合成すべき基地局情報を含んだ信号フォーマットを前記網制御局に送信することにより、前記網制御局に対して前記移動局からの信号の合成の要求を行い、且つ、該当する基地局に対して前記移動局からの信号受信要求を行うステップと、前記移動局は、前記指定された送信電力で信号の送信を行うことにより、前記該当する基地局でそれぞれ受信された信号を前記網制御局が合成することによって前記上りリンク受信品質の制御を行うステップと、を具備したことを特徴とする。
【００１７】
請求項８に係る発明は、隣接している第１のセルおよび第２のセルをそれぞれ形成する第１の基地局および第２の基地局と、前記第１のセルに在圏している一つの移動局と前記第１および第２の基地局との間の通信を同時に行わせる網制御局とを備え、前記移動局が同時に接続する基地局数を増減することによって下りリンク受信品質の制御を行う移動体通信システムの受信品質制御方法であって、前記第１の基地局と前記移動局が通信しているとき、ＱｏＳエージェントは前記第２のセルのトラヒック量を測定するステップと、前記第２のセルのトラヒック量が少なく前記第１のセル内にある移動局に対する信号送信は可能である、と前記ＱｏＳエージェントが判断した場合には、前記同時に接続する基地局数を増減するにあたって、前記ＱｏＳエージェントは前記網制御局に対して、前記第２の基地局への情報の複製を要求するステップと、前記移動局は、前記第１の基地局および前記第２の基地局の両局から送信された信号を受信して合成することによって前記下りリンク受信品質の制御を行うステップと、を具備したことを特徴とする。
【発明の効果】
【００１８】
以上説明した通り本発明によれば、瞬時の送信電力制御を行わない場合であっても、従来に比して受信品質を改善することができるようにした移動体通信システム、移動体通信システムにおける受信品質制御方法、および、記録媒体を実現することができる。
【００１９】
換言すると、本発明によれば、複数の受信信号が合成されると受信信号レベル変動が小さくなる特徴を利用し、同時に接続する基地局数を増減することで、瞬時の送信電力制御を行わない場合でもある程度の受信品質制御を実現することが可能となる。
【発明を実施するための最良の形態】
【００２０】
以下、図２〜図１１を参照しながら、各実施の形態を詳細に説明していく。
【００２１】
実施の形態１
図２は、下りリンク受信品質制御を実現するための移動体通信システムを示す。本図において、ＲＮＣは無線網制御局（Radio Network controller）、ＢＳは基地局（Base Station）、ＭＳは移動局（Mobile Station）を示す。より詳細に述べるならば、図２（Ａ）は本実施の形態１における基地局ＢＳ（＃０〜＃Ｎまでの基地局を含む）と移動局ＭＳ＃０と無線網制御局ＲＮＣの接続状況を示した図であり、図２（Ｂ）は本実施の形態１における通信制御の流れを示した図である。
【００２２】
本実施の形態１では、移動局ＭＳ＃０は、周辺基地局からの受信電力を測定し、所望する下りリンク受信品質を満足するためには、どの基地局と接続すればよいかを判断する（ステップＳ１）。
【００２３】
移動局ＭＳ＃０は、接続希望基地局を図３に示す信号フォーマットを用いて無線網制御局ＲＮＣに通知する（ステップＳ２）。すなわち図３は、移動局ＭＳ＃０が無線網制御局ＲＮＣに通知する信号（＝接続希望基地局情報を送信する信号）のフォーマットを示すものであり、ＲＮＣアドレス，接続希望コマンド，移動局アドレス，接続希望基地局情報を含んでいる。
【００２４】
移動局ＭＳ＃０からその通知を受けた無線網制御局ＲＮＣは、移動局ＭＳ＃０宛ての下りリンク送信信号がある場合には、それを複製し、該当する基地局に送信する（ステップＳ３）。図２に示した本実施の形態１では、該当する基地局として、３つの基地局ＢＳ＃０，＃１，＃２を例示している。
【００２５】
移動局ＭＳ＃０は、各基地局から送信された信号を受信し（ステップＳ４）、これらの信号を合成受信する（ステップＳ５）ことで、所望の下りリンク受信品質を満足する。
【００２６】
なお、本実施の形態１では、移動局ＭＳ＃０は基地局ＢＳ＃０，＃１，＃２からの受信信号を合成することで所望品質を満足しているが、本発明は、この例に限定されないことは勿論である。
【００２７】
実施の形態２
図４は、下りリンク受信品質制御を実現するための他の移動体通信システムを示す。本システムにおいては、無線網制御局ＲＮＣ、基地局ＢＳ，移動局ＭＳに加えて、ＱｏＳ（Quality of Service）エージェントを備えている。より詳細に述べるならば、図４（Ａ）は本実施の形態２における基地局ＢＳ（＃０〜＃Ｎまでの基地局を含む）と移動局ＭＳ＃０と無線網制御局ＲＮＣとＱｏＳエージェントの接続状況を示した図であり、図４（Ｂ）は本実施の形態２における通信制御の流れを示した図である。
【００２８】
本実施の形態２では、移動局ＭＳ＃０は、ＱｏＳエージェントに対して自分が所望する下りリンク受信品質および自局の位置を図５（Ａ）に示す信号フォーマットを用いて通知する（ステップＳ１１）。すなわち図５（Ａ）は、移動局ＭＳ＃０がＱｏＳエージェントに通知する信号（＝所望受信品質および自局の位置情報を送信する信号）のフォーマットを示すものであり、ＱｏＳエージェントアドレス，接続希望コマンド，移動局アドレス，下りリンク所望受信品質，自局の位置情報を含んでいる。
【００２９】
ＱｏＳエージェントは、移動局ＭＳ＃０の所望品質を満足するためには、どの基地局と接続しなければならないかを判断し（ステップＳ１２）、無線網制御局ＲＮＣに対して、図５（Ｂ）に示す信号フォーマットを用いて移動局ＭＳ＃０への信号の複製送信を要求する（ステップＳ１３）。すなわち図５（Ｂ）は、ＱｏＳエージェントが無線網制御局ＲＮＣに通知する信号（＝接続希望基地局情報を送信する信号）のフォーマットを示すものであり、ＲＮＣアドレス，接続希望コマンド，移動局アドレス，接続希望基地局情報を含んでいる。
【００３０】
ここで、ＱｏＳエージェントが接続基地局の選択を行う方法は、図６に示すような周辺基地局の位置と移動局の位置から信号の減衰量などを計算して接続基地局を選択する方法、あるいは、図７に示すような過去における移動局の接続履歴を参照する方法を用いるほか、図６および図７に示した方法を複合的に実施することが可能である。
【００３１】
図６において、ステップＳ２１では、各周辺基地局と移動局の距離から距離減衰を計算する。ステップＳ２２では、受信品質を満足するためにはどの基地局を組み合わせればよいかを判断する。
【００３２】
図７の（Ａ）は、ＱｏＳエージェントが有する過去の接続状況履歴を例示するものであって、移動局の位置と受信品質と接続基地局の対応関係をテーブルとして記憶してある。図７の（Ｂ）において、ステップＳ３１では、受信要求品質を満たす履歴をピックアップする。ステップＳ３２では、接続を希望する基地局の位置に最も近い移動局の履歴をピックアップする。ステップＳ３３では、ピックアップした履歴において接続していた接続基地局を選択する。
【００３３】
再び図４に戻り、無線網制御局ＲＮＣは、下りリンク送信信号がある場合にはそれを複製し、該当する基地局に送信する（ステップＳ１４）。
【００３４】
移動局ＭＳ＃０は、各基地局から送信された信号（ステップＳ１５）を合成受信することで、所望の品質を満足している（ステップＳ１６）。
【００３５】
なお、本実施の形態２では、移動局ＭＳ＃０は基地局ＢＳ＃０，＃１，＃２からの信号を合成受信することで所望品質を満足しているが、本発明は、この例に限定されないことは勿論である。
【００３６】
実施の形態３
図８は、上りリンク受信品質制御を実現するための移動体通信システムを示す。本システムにおいては、無線網制御局ＲＮＣ、基地局ＢＳ，移動局ＭＳ，ＱｏＳ（Quality of Service）エージェントを備えている。より詳細に述べるならば、図８（Ａ）は本実施の形態３における基地局ＢＳ（＃０〜＃Ｎまでの基地局を含む）と移動局ＭＳ＃０と無線網制御局ＲＮＣとＱｏＳエージェントの接続状況を示した図であり、図８（Ｂ）は本実施の形態３における通信制御の流れを示した図である。
【００３７】
本実施の形態３において情報の送信を行う場合、まず移動局ＭＳ＃０は、基地局で受信される上りリンク所望品質，自局の位置および送信可能最大電力を図９（Ａ）に示す信号フォーマットを用いてＱｏＳエージェントに送信する（ステップＳ４１）。ＱｏＳエージェントは、移動局ＭＳ＃０の送信可能最大電力内で、その品質を満足するために接続すべき基地局を選択し（ステップＳ４２）、その送信電力を図９（Ｂ）に示す信号フォーマットを用いて移動局に通知する（ステップＳ４３）。またＱｏＳエージェントは、図９（Ｃ）に示す信号フォーマットを用いて無線網制御局ＲＮＣに対して移動局ＭＳ＃０からの信号の合成の要求を行い（ステップＳ４４）、さらに図９（Ｄ）に示す信号フォーマットを用いて各基地局に対して移動局ＭＳ＃０からの信号受信要求を行う（ステップＳ４５）。
【００３８】
本実施の形態３における接続基地局選択は、先に説明した図６，図７の方法、あるいは、図６および図７の複合方法により実現可能である。
【００３９】
移動局ＭＳ＃０は指定された送信電力で信号の送信を行い（ステップＳ４６）、各基地局で受信された信号を無線網制御局ＲＮＣで合成する（ステップＳ４７，Ｓ４８）ことで所望の上りリンク受信品質を実現している。
【００４０】
上述した図９（Ａ）は、移動局ＭＳ＃０がＱｏＳエージェントに通知する信号（＝所望品質，送信可能最大電力および自局の位置情報を送信する信号）のフォーマットを示すものであり、ＱｏＳエージェントアドレス，接続希望コマンド，移動局アドレス，上りリンク所望品質，最大可能送信電力，自局の位置情報を含んでいる。図９（Ｂ）は、ＱｏＳエージェントが移動局ＭＳ＃０に送信電力を指定する信号のフォーマットを示すものであり、移動局アドレス，送信電力指定コマンド，送信電力を含んでいる。図９（Ｃ）はＱｏＳエージェントが無線網制御局ＲＮＣに通知する信号（＝信号合成要求信号）のフォーマットを示すものであり、ＲＮＣアドレス，信号合成希望コマンド，移動局アドレス，合成すべき基地局情報を含んでいる。図９（Ｄ）はＱｏＳエージェントが各基地局に送信する受信要求信号のフォーマットを示すものであり、該当基地局アドレス，受信要求コマンド，送信元移動局アドレスを含んでいる。
【００４１】
なお、本実施の形態３では、基地局ＢＳ＃０，＃１，＃２が移動局ＭＳ＃０からの信号を受信しているが、本発明は、この例に限定されないことは勿論である。
【００４２】
実施の形態４
図１０は、下りリンク受信品質制御を実現するための他の移動体通信システムを示す。本システムにおいては、無線網制御局ＲＮＣ、基地局ＢＳ，移動局ＭＳ，ＱｏＳ（Quality of Service）エージェントを備えている。より詳細に述べるならば、図１０（Ａ）は本実施の形態４における基地局ＢＳ（説明を簡略化するため、基地局数を２としている）と移動局ＭＳ＃０と無線網制御局ＲＮＣとＱｏＳエージェントの接続状況を示した図であり、図１０（Ｂ）は本実施の形態４における通信制御の流れを示した図である。
【００４３】
本実施の形態４では、ある時刻において、セル＃０を形成する基地局ＢＳ＃０と、そのセル＃０に在圏している移動局ＭＳ＃０が通信しているものとする（ステップＳ５１）。ＱｏＳエージェントは隣接セルのトラヒック量を測定し（ステップＳ５２）、セル＃１はトラヒック量が少なく、セル＃０内の移動局ＭＳ＃０に信号を送信可能と判断し、図１１に示す信号フォーマットを用いて、無線網制御局ＲＮＣに対して基地局ＢＳ＃１への情報の複製を要求する（ステップＳ５３，Ｓ５４，Ｓ５５）。その結果、移動局ＭＳ＃０は基地局ＢＳ＃０および基地局ＢＳ＃１の両局からの信号を合成受信できるようになる（ステップＳ５６）。そのため、各基地局から送信される信号電力が一定であるとした場合、移動局の受信品質は向上する。
【００４４】
図１１に示すように、ＱｏＳエージェントが無線網制御局ＲＮＣに対して送信する複製要求信号には、ＲＮＣアドレス，複製要求コマンド，複製基地局アドレス，送信先移動局アドレスを含んでいる。
【００４５】
一方、本実施の形態４において、移動局の受信品質を一定に保つことを目的とした場合には、各基地局の送信電力を低減することが可能となり、各セルにおいて、同時に通信している他の移動局への干渉が低減される。
【００４６】
（他の実施形態）
なお、本発明の目的は、前述した実施形態の機能を実現するソフトウエアのプログラムコードをコンピュータにより読み取り可能に記録した記録媒体（記憶媒体）をシステムあるいは装置に装着し、そのシステムあるいは装置のコンピュータ（またはＣＰＵやＭＰＵ）が記録媒体に格納されたプログラムコードを読み出し、プログラムコードにしたがった命令を実行することによっても達成されることは言うまでもない。この場合、記録媒体から読み出されたプログラムコード自体が前述した実施形態の機能を実現することになり、そのプログラムコードを記録した記録媒体は本発明を構成することになる。そのプログラムコードを記録し、またテーブル等の変数データを記録する記録媒体としては、たとえばフロッピーディスク、ハードディスク等の磁気ディスク、各種光ディスク、各種光磁気ディスク、不揮発性の各種メモリカードなどを用いることができる。
【図面の簡単な説明】
【００４７】
【図１】従来の送信電力制御を用いた受信品質制御における問題点を説明するための図である。
【図２】実施の形態１を説明するための図である。
【図３】実施の形態１で用いる信号のフォーマットを示した図である。
【図４】実施の形態２を説明するための図である。
【図５】実施の形態２で用いる信号のフォーマットを示した図である。
【図６】ＱｏＳエージェントが接続基地局を選択する方法（基地局と移動局の位置を用いる方法）を説明するための図である。
【図７】ＱｏＳエージェントが接続基地局を選択する方法（過去の履歴を用いる方法）を説明するための図である。
【図８】実施の形態３を説明するための図である。
【図９】実施の形態３で用いる信号のフォーマットを示した図である。
【図１０】実施の形態４を説明するための図である。
【図１１】実施の形態４で用いる信号のフォーマットを示した図である。
【符号の説明】
【００４８】
ＲＮＣ    無線網制御局
ＢＳ    基地局
ＭＳ    移動局
【図１】
2006191669.tif 000003
【図２】
2006191669.tif 000004
【図３】
2006191669.tif 000005
【図４】
2006191669.tif 000006
【図５】
2006191669.tif 000007
【図６】
2006191669.tif 000008
【図７】
2006191669.tif 000009
【図８】
2006191669.tif 000010
【図９】
2006191669.tif 000011
【図１０】
2006191669.tif 000012
【図１１】
2006191669.tif 000013